(57)【要約】
【課題】樹脂ミラーの反射膜に裏面よりレーザーを当てて画像及び文字並びに数字、記号等を鏡面に表現し、赤ちゃんの手足等の陰影をリアルに鏡面表示した保存板を作成する。
【解決手段】
樹脂ミラー板１の反射膜面に氏名記載欄２、画像表示欄３、データ記載欄４とメッセージ記載欄５等の表示欄のそれぞれにレーザーで彫刻した画像及び文字並びに数字、記号等を反射膜に有し、その上面にラッカー塗料をコーティングして反射膜面を塗料で保護し、画像を覆う透明なアクリル樹脂を樹脂ミラー板の樹脂板面の上面にコーティングしたことを特徴とするリアル鏡面表示保存板。
【選択図】図１
0003100939.tif 000002
【実用新案登録請求の範囲】
【請求項１】
樹脂ミラー板に氏名記載欄と、画像表示欄と、データ記載欄とメッセージ記載欄などの表示スペースを備え、それぞれに表示される画像及び文字並びに数字、記号等をレーザーで反射膜に彫刻したリアル鏡面表示保存板。
【請求項２】
樹脂ミラー板の反射膜面にレーザーで彫刻した氏名記載欄、画像表示欄、データ記載欄とメッセージ記載欄などの表示スペースに、足跡等の画像及び文字並びに数字、記号等を表示した反射膜を有することを特徴とする請求項１に記載のリアル鏡面表示保存板。
【請求項３】
樹脂ミラー板の反射膜面にレーザーで彫刻した画像及び文字並びに数字、記号等の上面及び樹脂ミラー板の樹脂板裏面に塗料をコーティングして、反射膜面に表示されている氏名記載欄と、画像表示欄と、データ記載欄とメッセージ記載欄などの表示をした反射膜面を前記塗料で保護したことを特徴とする請求項２に記載のリアル鏡面表示保存板。
【請求項４】
樹脂ミラー板の反射膜面にレーザーで彫刻して表示した足跡等の画像表示を覆う透明な樹脂を樹脂ミラー板の樹脂板表面にコーティングしたことを特徴とする請求項３に記載のリアル鏡面表示保存板。
【請求項５】
樹脂ミラー板の反射膜面に表示された氏名記載欄、画像表示欄、データ記載欄とメッセージ記載欄などのそれぞれの画像及び文字並びに数字、記号等をレーザーで彫刻した反射膜面及び樹脂板の上面にラッカー塗料をコーティングしたことを特徴とする請求項３に記載のリアル鏡面表示保存板。
【請求項６】
反射膜面に画像をレーザーで彫刻表示した樹脂ミラー板の樹脂板の表面に、前記樹脂ミラー板の反射膜に表示した画像を覆う透明なアクリル樹脂をコーティングしたことを特徴とする請求項４に記載のリアル鏡面表示保存板。
【考案の詳細な説明】
【技術分野】
【０００１】
本考案は、赤ちゃんの誕生を記念して誕生時の足跡や手形並びに成長段階での絵文字や写真を樹脂ミラー板の反射膜にレーザー彫刻して永久に保存するために、誕生日の足跡や手形、並びに絵文字や写真等の陰影をスキャナで読み取りレーザー彫刻する機能を備えているパソコンで樹脂ミラー板の反射膜にリアル鏡面表示される保存板に関するものである。
【背景技術】
【０００２】
赤ちゃんの足跡や手形を永久保存するために、赤ちゃんの誕生日に紙面に写し取ったり、石膏又は粘土で取った型に樹脂を流し込んで樹脂板に残すことは一般に実用に共されている。
【０００３】
しかし、。
【０００４】
石膏や粘土に手や足を押し当てて型に作ると、紙面に陰影を写した陰影のように、写実的な表現を樹脂板に表示することが出来ないという欠点があった。赤ちゃんの手の指紋や足の皴は柔らかく繊細な線であるために、型側の凹部では指紋や皴が欠落したりするなどにより、樹脂板に表示されないという問題があった。
【０００５】
【特許文献１】特開２００１−０９１７１１号公報
【特許文献２】特開２００３−１２７５４０号公報
【特許文献３】特開２００２−１１６３９４号公報
【特許文献４】特開２００２−０１１９０２号公報
【特許文献５】特開２００１−３３０７９１号公報
【特許文献６】特開平１１−３２０１６５号公報
【特許文献７】特開平１１−１４２６２６号公報
【特許文献８】特開平０６−１７４９０６号公報
【特許文献９】特開平０５−２４７３１９号公報
【考案の開示】
【考案が解決しようとする課題】
【０００６】
本考案が解決しようとする問題点は、赤ちゃんの手や足の形に現れている柔らかく繊細な線を樹脂板に残すことが出来ない点である。
【課題を解決するための手段】
【０００７】
本考案は、  この課題を解決するために、手や足の形を写し取って、その陰影をミラー樹脂板の反射膜にレーザー彫刻して陰影を残し、樹脂ミラー板に残った反射面に表示された繊細な陰影を塗料で覆って、鏡面表示された反射面を保護しているものである。
【考案の効果】
【０００８】
本考案に係るリアル鏡面表示板は、手や足の陰影を樹脂ミラー板の反射面にレーザー彫刻するという方法で樹脂ミラー板の反射面に繊細な陰影を表示したために、表面が鏡面表示になり、立体的な表現が出来て、リアルな線になるところに利点がある。
【考案を実施するための最良の形態】
【０００９】
本考案を実施した最良の形態は、樹脂ミラー板の反射面に陰影をスキャナで読み取り可能なパソコンに読み込んでレーザーで彫刻するという方法で、柔らかい赤ちゃんの手の指紋や足裏の皴を写実的、立体的に表現した樹脂ミラー板である。図面は、この方法により作成された１実施例を表示し、樹脂ミラー板の反射膜面に表示した足跡の鏡面表示を示す。
【実施例１】
【００１０】
図１はこの方法による足跡の陰影をスキャナで読み込んでレーザー彫刻することが出来るパソコンで作成された赤ちゃんの足跡の形態をリアル鏡面表示する正面図であって、図２はそのA-Ａ’線断面図である。図２で、７は樹脂板、９ａ，９ｂ反射膜、８は塗料である。
【００１１】
足跡のリアル鏡面表示板には、図１に表示したように、樹脂ミラー板１の反射膜面に氏名記載欄２、足跡の画像表示欄３、誕生日の日付や体重データ記載欄４、メッセージ記載欄５などが在る。これらの画像、文字、数値等のデータは、パソコンに入力して樹脂ミラー板の反射膜にレーザーで彫刻される。
【００１２】
図２に表示した図１A-Ａ’線断面図は、足跡の陰影をスキャナで読み込んでレーザー彫刻することが出来るパソコンで作成された赤ちゃんの足跡の形態を断面図により表示する。パソコンへの入力データに基づいて、樹脂板７の一面に有する反射膜にレーザーで彫刻される。入力データである足跡は画像データとして入力される。その他、氏名、日付、体重、メッセージ等の文字並びに数字データの周囲の反射膜は、レーザー彫刻されて削られ、残った反射膜９ａ，９ｂには足跡等のデータが鏡面表示されている。この表示された足跡の画像、文字、数字等は反射膜に鏡面として表示されているものである。これらのデータ及び樹脂板には塗料８が塗られて保護のために覆われている。すなわち、反射膜９ａ，９ｂをラッカー塗料８で覆って、鏡面表示はコーティングされているので表示データは空気に直接接触することはなくなくなり保護されている。画像３は、樹脂ミラー板１の表面にアクリル樹脂６ａ，６ｂをコーティングしてある。これは、反射膜に鏡面表示されている画像の光の屈折を生じ、画像表示を丸みのある立体に見せるためのものである。
【００１３】
本考案が解決しようとする問題点は、実施例１において具体的に記載したように樹脂ミラー板の反射膜にデータをレーザー彫刻することにより、柔らかく繊細な赤ちゃんの足跡を樹脂板に写実的、立体的に鏡面表示することが出来る効果がある。
【産業上の利用可能性】
【００１４】
本考案は、実施例１に示したような足跡の陰影を永久保存するだけでなく、足形の他、手形の陰影、写真や絵文字等の作品を実施例１と同様の作製工程で作成出来るためこれらの形態を反射膜面に鏡面表示することによって立体的にリアル表示する記念の額に適用出来る。
【図面の簡単な説明】
【００１５】
【図１】実施例１として足跡の陰影をスキャナで読み込んでレーザー彫刻することが出来るパソコンで作成された赤ちゃんの足跡の形態を樹脂ミラー板の反射膜にリアル鏡面表示する正面図
【図２】図１A-Ａ’線断面図
【符号の説明】
【００１６】
１    樹脂ミラー板
２    氏名記載欄
３    足跡等の画像表示欄
４    誕生日の日付、生まれた赤ちゃんの重量など日付や数値データの記載欄
５    例えば親から子へ、メッセージの記載欄
６ａ，６ｂ    透明なアクリル樹脂  
７    樹脂板
８    反射膜を覆うラッカー塗料のコーティング膜
９ａ，９ｂ    例えば、赤ちゃんの足跡を樹脂ミラーの反射膜にレーザー彫刻したところに残った反射膜
【図１】
0003100939.tif 000003
【図２】
0003100939.tif 000004